(57)【特許請求の範囲】
【請求項１】
ブラシヘッド部とブラシ柄部を備えるメイクブラシであって、
前記ブラシヘッド部の外周の基部には、毛片が密着して設けられ、前記毛片の高さが前記
ブラシヘッド部の縁部の高さより低く、
前記毛片は、少なくとも２層であり、第１層毛片が前記ブラシヘッド部に隣接しており、
前記第１層毛片の硬度が前記ブラシヘッド部の毛の硬度より大きく、
第２層毛片が前記第１層毛片の外側に設けられ、前記第２層毛片の硬度が前記ブラシヘッ
ド部の毛の硬度より小さく、且つ前記第２層毛片の高さが前記第１層毛片の高さより高い
ことを特徴とするメイクブラシ。
【請求項２】
前記毛片の硬度が前記ブラシヘッド部の毛の硬度より大きいことを特徴とする請求項１に
記載のメイクブラシ。
【請求項３】
前記毛片の一部または全部が前記ブラシヘッド部の外周の基部を被覆していることを特徴
とする請求項１に記載のメイクブラシ。
【請求項４】
前記毛片の硬度が前記ブラシヘッド部の毛の硬度以下であることを特徴とする請求項１に
記載のメイクブラシ。
【発明の詳細な説明】
【技術分野】
【０００１】
本願は、化粧ツールの技術分野に関し、特にメイクブラシ及びその製造方法に関する。
【背景技術】
【０００２】
メイクブラシは、化粧ブラシとしても知られており、様々な種類があり、毎日のメイクの
ために、使用者それぞれの化粧習慣に応じて組み合わせて使用できる。ただし、パウダー
ブラシ、コンシーラーブラシ、チークブラシ、アイシャドウブラシ、アイブロウブラシ及
びリップブラシといった６本の刷子は、必要な基本構成である。
【０００３】
プロのメイクブラシでは、ブラシヘッド部も、マイクアップ対象となる部位によって様々
なサイズ、形状を有し、様々なカーブを有してトップが先細って周辺が明らかなであり又
は全体が明らかであるブラシヘッド部の形状を有する。ブラシヘッド部のライン、カーブ
の順調さがいずれもメイクアップの効果に影響を与える。
【０００４】
現在、市販されているメイクブラシでは、機能に応じた長さの毛を用いて、対応した金型
で成形させてチューブに入れるのが一般的であるが、このような方法によれば、メイクブ
ラシの毛質が単一であり、その結果、メイクアップの効果が単一になり、消費者のニーズ
に効果的に応えられない。
【発明の概要】
【発明が解決しようとする課題】
【０００５】
メイクブラシの毛質が単一であり、その結果、メイクアップの効果が単一になるという従
来技術における技術的課題を解決するために、本願の実施例は、以下の技術案を提案して
いる。
【課題を解決するための手段】
【０００６】
本願の一態様によれば、ブラシヘッド部とブラシ柄部を備え、前記ブラシヘッド部の外周
の基部には、毛片が密着して設けられ、前記毛片の高さが前記ブラシヘッド部の縁部の高
さより低いメイクブラシを提供する。
【０００７】
いくつかの実施例では、前記毛片の硬度が前記ブラシヘッド部の毛の硬度より大きい。
【０００８】
いくつかの実施例では、前記毛片の一部または全部が前記ブラシヘッド部の外周の基部を
被覆している。
【０００９】
いくつかの実施例では、前記毛片の硬度が前記ブラシヘッド部の毛の硬度以下である。
【００１０】
いくつかの実施例では、前記毛片は、少なくとも２層であり、第１層毛片が前記ブラシヘ
ッド部に隣接しており、前記第１層毛片の硬度が前記ブラシヘッド部の毛の硬度より大き
く、
第２層毛片が前記第１層毛片の外側に設けられ、前記第２層毛片の硬度が前記ブラシヘッ
ド部の毛の硬度より小さく、且つ前記第２層毛片の高さが前記第１層毛片の高さより高い
。
【００１１】
いくつかの実施例では、前記第１層毛片の色、第２層毛片の色は、前記ブラシヘッド部の
毛の色とは、互いに同じであるか、または異なる。
【００１２】
本願の別の態様によれば、ブラシヘッド部とブラシ柄部を備えるメイクブラシの製造方法
を提供し、前記方法は、
ブラシヘッド部を製造するための毛ヘッド本体を結束して形を整えて、使用に備えるステ
ップと、
ブラシヘッド部の形状に応じて、被覆用の毛素材を毛片としてスライスして、前記毛片の
高さを前記ブラシヘッド部の縁部の高さより低くするステップと、
前記毛片を前記毛ヘッド本体の外周の基部に密着させて固定し、メイクブラシを製造する
ステップとを含む。
【００１３】
いくつかの実施例では、ブラシヘッド部の形状に応じて、被覆用の毛素材を毛片としてス
ライスする前記ステップは、具体的には、
ブラシヘッド部の形状に応じて、被覆用の毛素材へ接着剤を塗布して、接着剤を乾燥させ
た後に、毛片としてスライスすることを含む。
【００１４】
いくつかの実施例では、前記毛片を前記毛ヘッド本体の外周の基部に密着させて固定する
前記ステップは、具体的には、
前記毛片を前記毛ヘッド本体の外周の基部に密着させてエッジの毛とともに結束してアイ
ロンをかけ、又はチューブに入れて接着剤を塗布することを含む。
【００１５】
いくつかの実施例では、前記毛片は、少なくとも２層であり、前記方法は、
硬度が前記ブラシヘッド部の毛の硬度より大きい第１層毛片を前記ブラシヘッド部に隣接
して設けるステップと、
硬度が前記ブラシヘッド部の毛の硬度より低く且つ高さが前記第１層毛片の高さより高い
第２層毛片を、前記第１層毛片の外側に設けるステップとをさらに含む。
【発明の効果】
【００１６】
本願の実施例は、メイクブラシ及びその製造方法を提供し、メイクブラシは、ブラシヘッ
ド部とブラシ柄部を備え、前記ブラシヘッド部の外周の基部には、毛片が密着して設けら
れ、前記毛片の高さが前記ブラシヘッド部の縁部の高さより低い。ブラシヘッド部の外周
の基部には毛片が密着して設けられ、且つ外周の毛片がブラシヘッド部の縁部の高さより
低いため、メイクをするときに、ブラシヘッド部の毛と外周の毛片によるレイヤをより引
き上げて、ブラシの形をより整えて、上質で素敵なメイクを仕上がり、肌触りを改善する
。
【図面の簡単な説明】
【００１７】
本願の実施例又は従来技術における技術案をより明瞭に説明するために、以下、実施例又
は従来技術の説明に必要な図面を簡単に説明するが、明らかなように、以下の説明におけ
る図面は、本願のいくつかの実施例に過ぎず、当業者であれば、創造的な努力を必要とせ
ずに、これら図面に示される構造に基づいてほかの図面を想到しうる。
【図１】本願の一実施例に係るメイクブラシの全体構造の模式的正面図である。
【図２】本願の一実施例に係るメイクブラシの全体構造の模式的斜視図である。
【図３】本願の一実施例に係るメイクブラシの部分構造の模式図である。
【図４】本願の一実施例に係るメイクブラシの製造方法のフローチャートである。
【発明を実施するための形態】
【００１８】
以下、本願の実施例における図面を参照しながら、本願の実施例における技術案を明瞭か
つ完全に説明するが、勿論、説明される実施例は、本願の実施例の一部に過ぎず、すべて
の実施例ではない。当業者が本願における実施例に基づいて創造的な努力を必要とせずに
想到しうるほかの実施例は、すべて本願の特許範囲に属する。
【００１９】
なお、本願の実施例において、すべての方向用語（たとえば、上、下、左、右、前、後…
…）は、ある特定の姿勢（図面に示されるとおり）での各部材の間の相対位置関係、移動
状況などを解釈するために過ぎず、この特定の姿勢が変わると、この方向用語もそれに応
じて変わる。
【００２０】
また、本願では、「第１」、「第２」などに関する説明は、説明するために過ぎず、その
相対重要性を指示又は示唆するか、もしくは示される技術的特徴の数を暗黙的に示すと理
解すべきではない。それによって、「第１」、「第２」により限定された特徴は、少なく
とも１つの該特徴を明確又は暗黙的に含み得る。また、各実施例における技術案は、当業
者が理解できることを前提として、互いに組み合わせることができ、技術案の組み合わせ
には矛盾が発生するか、または実現できない場合は、このような技術案の組み合わせが存
在しないとされて、本願による特許範囲に含まれない。
【００２１】
本願では、別段の明示的な規定及び制限がない限り、用語「接続」、「固定」などは、広
義で理解すべきであり、たとえば、「固定」は、固定して接続されてもよく、取り外し可
能に接続されてもよく、一体に接続されてもよく、或いは、機械的に接続されてもよく、
電気的に接続されてもよく、あるいは、直接連結されてもよく、中間媒介を介して間接的
に連結されてもよく、２つの素子の内部が連通してもよく、又は２つの素子が相互作用関
係を有してもよく、特に明示的に限定する場合を除く。当業者であれば、具体的な状況に
応じて上記用語の本願での具体的な意味を理解できる。
【００２２】
実施例１
図１−３に示されるように、本願の実施例によるメイクブラシ１００は、ブラシヘッド部
１０とブラシ柄部２０を備え、前記ブラシヘッド部１０の外周の基部には、毛片１１が密
着して設けられ、前記毛片１１の高さが前記ブラシヘッド部１０の縁部の高さより低い。
【００２３】
具体的には、毛片は、複数本の毛を積層してなるものである。ブラシヘッド部１０の外周
の基部には、ブラシヘッド部そのものが円周方向において半分又は全部取り囲まれる、つ
まり毛片１１の一部または全部が前記ブラシヘッド部１０の外周の基部を被覆しているよ
うに、色又は形状の異なる毛片が突き合せにより円周に亘って形成されている。それによ
って、メイクブラシ１００の毛ヘッド全体を花蕊のようにして、毛ヘッドそのものに弾性
を付与するか又はその弾性を高め、若しくは肌触りを改善するなどの効果を奏する。毛ヘ
ッドとは、毛片１１をブラシヘッド部１０の外周の基部に設けた後のブラシヘッド部１０
と毛片１１との全体のことを意味する。
【００２４】
さらに、毛片１１は、ブラシヘッド部１０の外周の基部からの所定の高さの位置に位置し
てもよい。毛片１１の高さが前記ブラシヘッド部１０の縁部の高さより低いものの、毛片
１１は、ブラシヘッド部１０の縁部の半分又は三分の一又は三分の二の箇所に位置するこ
とが可能であり、勿論、ほかの割合でもよく、本願では、それについて制限しない。ブラ
シヘッド部１０の周辺に毛質及び長さの異なる毛片１１を増設することで、毛ヘッドは、
全体として使用される方向によって、異なる使用感、及びメックアップをするときの肌触
りを有するようになる。
【００２５】
本願の実施例におけるメイクブラシは、パウダーブラシ、コンシーラーブラシ又はチーク
ブラシであり得る。
【００２６】
なお、ブラシヘッド部１０を製造する際に、そのブラシ柄部２０での固定性及び靭性を考
慮しなければならず、加工する際に、ブラシヘッド部１０の毛の毛質、長さ、数などを決
定するときに、毛の尾部とブラシ柄部２０との固定及び取付位置のいずれも考慮に入れる
。本願の実施例では、毛１０の外輪の基部に一層の毛片をさらに増設し、いくつかの実施
例では、前記毛片１１の硬度が前記ブラシヘッド部１０の毛の硬度より大きいため、毛片
１１は、毛１０の周辺を取り囲んだコシのある毛質であり、製品の毛ヘッドの集合力を高
めて、使用心地を改善し、マイクをより均一で細かくすることができる。
【００２７】
別のいくつかの実施例では、前記毛片１１の硬度が前記ブラシヘッド部１０の毛の硬度以
下である。ブラシヘッド部１０の周辺に柔らかい毛質の毛片１１を増設することによって
、メイクブラシを用いてメイクをするときの肌触りを改善できる。
【００２８】
図３は、ブラシヘッド部と毛片との位置模式図である。いくつかの実施例では、図３に示
されるように、前記毛片１１は、少なくとも２層であり、２層の厚さを一致させてもよい
。第１層毛片１２は、前記ブラシヘッド部１０に隣接しており、前記第１層毛片１２の硬
度が前記ブラシヘッド部１０の毛の硬度より大きく、
第２層毛片１３は、前記第１層毛片１２に隣接して第１層毛片１２の前記ブラシヘッド部
１０から離れた一側に設けられ、前記第２層毛片１３の硬度が前記ブラシヘッド部１０の
毛の硬度より低く、且つ、前記第２層毛片１３の高さが前記第１層毛片１２の高さより高
い。それによって、比較的硬い第１層毛片１２は、ブラシヘッド部１０に対して支持補助
作用を果たす一方、柔らかい第１層毛片１３は、第１層毛片１２を使用者の肌から離間さ
せて、より柔らかいタッチを与え、ブラシヘッド部１０の周辺に柔らかい毛質の毛片１１
を増設することで、メイクブラシを用いてメイクをするときの肌触りを改善する。
【００２９】
本願のいくつかの実施例では、前記第１層毛片１２の色、第２層毛片１３の色は、前記ブ
ラシヘッド部１０の毛の色とは、互いに同じであるか、または異なる。
【００３０】
本願の実施例では、ブラシヘッド部１０の外部を取り囲んでいる花びらのような毛束（毛
片）について、毛片１１の毛質をブラシヘッド部１０の毛と同等又は異なる等級の毛質に
して、同じ及び／又は異なる色を設定することで、様々な効果を示し、様々な弾性を達成
し、様々なスタイルを作り、各種の色の組み合わせ及び柔らかさの組み合わせを実現する
ことができ、メイクをするときに、様々な毛質の柔らかさ、様々な毛質の弾性、様々な毛
質の組み合わせによる効果を果たし、メイクブラシ１００の形をより整えて、メイクアッ
プの効果をより細かくして、メイクをより均一で細かくすることができる。
【００３１】
前記のとおり、ブラシヘッド部１０の外周の基部には、毛質、色又は形状の異なる毛片１
１は、突き合せにより円周に亘って形成されている。毛片１１の外形については、設計し
ようとする毛ヘッドの外形に応じて設計できる。たとえば、クチナシの花、梅の花又は桃
の花の花蕊のような形状、若しくは、波状、五芒星状、一般的な平らな形状又は斜め形状
として設計してもよく、所望の毛質、色又は長さを有するものをブラシヘッド部１０の外
周の基部に包んで、所望の形状とする。
【００３２】
実施例２
図４に示されるように、本願の実施例は、ブラシヘッド部とブラシ柄部を備えるメイクブ
ラシの製造方法をさらに提供し、前記方法は、ステップ３１−ステップ３３を含む。
ステップ３１、ブラシヘッド部を製造するための毛ヘッド本体を結束して形を整えて、使
用に備える。
いくつかの実施例では、メイクブラシのブラシヘッド部の毛を前記メイクブラシのブラシ
柄部に結合し、ブラシヘッド部の毛をブラシ柄部と毛ヘッドとの間の結合部材に挿入し、
前記結合部材を利用して前記メイクブラシのブラシヘッド部を支持する。前記結合部材を
支持できるようにメイクブラシのブラシヘッド部の毛の尾部／基部が前記結合部材に挿入
される。
【００３３】
ブラシヘッド部を作製するときに、毛の形をセットさせるために縛りロープが使用され、
後で接着剤を塗布した後に取り外される。このように、ブラシヘッド部における毛の形を
セットさせて、良好な毛形を保持できる。
【００３４】
ステップ３２、ブラシヘッド部の形状に応じて、被覆用の毛素材を毛片としてスライスし
、前記毛片の高さを前記ブラシヘッド部の縁部の高さより低くする。
ステップ３３、前記毛片を前記毛ヘッド本体の外周の基部に密着させて固定し、メイクブ
ラシを製造する。
【００３５】
上記ステップ３１の後、金型で成形させることで毛形を実現した後、まず、糸を縛って毛
形をセットさせ、次に、ブラシヘッド部の外周の基部には、同じ又は異なる毛質、異なる
又は同じ色、異なる形状の毛片をブラシヘッド部そのものを取り囲んるように円周に亘っ
て突き合せて形成し、毛ヘッド全体を花蕊のようにし、それによって、毛ヘッドそのもの
に弾性を付与するかその弾性を高め、もしくは、肌触りを改善するなどの効果を奏する。
【００３６】
本願に係るメイクブラシの製造方法では、ブラシヘッド部を製造するための毛ヘッド本体
を結束して形を整えて、使用に備え、前記ブラシヘッド部の外周の基部には、毛片を密着
して設け、前記毛片の高さを前記ブラシヘッド部の縁部の高さより低くする。ブラシヘッ
ド部の外周の基部には、毛片が密着して設けられ、且つ外周の毛片がブラシヘッド部の縁
部の高さより低いため、メイクをするときに、ブラシヘッド部の毛と外周の毛片によるレ
イヤをより引き上げて、ブラシの形をより整えて、上質で素敵なメイクを仕上がり、肌触
りを改善する。
【００３７】
なお、上記実施例１であるメイクブラシ実施例及びメイクブラシの製造方法である実施例
は、同じ発明構想に基づくものであり、メイクブラシ実施例の全部の特徴がメイクブラシ
の製造方法の実施例に導入される。
【００３８】
いくつかの実施例では、前記結合部材と前記メイクブラシのブラシ柄部との接触領域に圧
力を印加することによって、前記結合部材を前記メイクブラシ柄に結合する。
【００３９】
さらに、ブラシヘッド部の形状に応じて被覆用の毛素材を毛片としてスライスする前記ス
テップは、具体的には、
ブラシヘッド部の形状に応じて、被覆用の毛素材へ接着剤を塗布して、接着剤を乾燥させ
た後に、毛片としてスライスすることを含む。
【００４０】
好ましくは、前記毛片を前記毛ヘッド本体の外周の基部に密着させて固定する前記ステッ
プは、具体的には、
前記毛片を前記毛ヘッド本体の外周の基部に密着させてエッジの毛とともに結束してアイ
ロンをかけ、又はチューブに入れて接着剤を塗布することを含む。
【００４１】
前記チューブに入れて接着剤を塗布する対象となる管は、金属ケーシングである。
【００４２】
いくつかの実施例では、前記毛片は、少なくとも２層であり、前記方法は、
硬度が前記ブラシヘッド部の毛の硬度より大きい第１層毛片を前記ブラシヘッド部に隣接
して設けるステップと、
硬度が前記ブラシヘッド部の毛の硬度より低く且つ高さが前記第１層毛片の高さより高い
第２層毛片を、前記第１層毛片に隣接して第１層毛片の前記ブラシヘッド部から離れた一
側に設けるステップとをさらに含む。
【００４３】
硬度が前記ブラシヘッド部の毛の硬度より低く且つ高さが前記第１層毛片の高さより高い
第２層毛片を、前記第１層毛片に隣接して第１層毛片の前記ブラシヘッド部から離れた一
側に設ける。それによって、較的硬い第１層毛片は、ブラシヘッド部に対して支持補助作
用を果たす一方、柔らかい第１層毛片は、第１層毛片を使用者の肌から離間させて、より
柔らかいタッチを与え、ブラシヘッド部の周辺に柔らかい毛質の毛片を増設することで、
メイクブラシを用いてメイクをするときの肌触りを改善する。
【００４４】
以上は、本願の好適実施例に過ぎず、それにより本願の特許範囲が限制されるものではな
く、本願の発明構想に基づいて、本願の明細書及び図面の内容を利用して行われる構造の
等価置換、又はほかの関連技術分野への直接／間接的な適用がすべて本願の特許範囲に属
する。
【符号の説明】
【００４５】
１００−メイクブラシ、１０−ブラシヘッド部、２０−ブラシ柄部、１１−毛片、１２−
第１層毛片、１３−第２層毛片。
【図１】
0006903861.tif 000002
【図２】
0006903861.tif 000003
【図３】
0006903861.tif 000004
【図４】
0006903861.tif 000005